(57)【要約】【課題】複数種類の照明灯を各照明灯ごとに全灯点灯や調光点灯すること。【解決手段】照明器具１は、照明灯１１，１２からなる第１の照明灯ユニットと、照明灯１３，１４からなる第２の照明灯ユニットとを備え、第１及び第２の照明灯ユニットは同一光量を備えている。マイコン制御部２０は、リモコン装置３０から送信された全灯点灯あるいは調光点灯を指示するリモコン信号に基づいて、インバータ回路２４を制御して、第１及び第２の照明灯ユニットの全灯点灯あるいは調光点灯を瞬時に切り替える。【選択図】図１
2008010333.tif 000002
【特許請求の範囲】
【請求項１】
複数種類の照明灯を有する照明器具であって、
第１光色の照明灯と、
前記第１光色と異なる第２光色であり、前記第１光色の照明灯と同一光量の照明灯と、
前記第１及び第２光色の照明灯の点灯状態を制御する制御手段と、
ユーザの操作による操作入力を受け付けたことに応じて操作受付信号を出力する操作手段とを備え、
前記操作手段は、前記第１及び第２光色の照明灯の点灯状態の切り替えを指示するために操作される点灯ボタンを有し、
前記制御手段は、前記点灯ボタンの操作による操作入力を受け付けた前記操作手段からの操作受付信号を受信したときに、前記第１及び第２光色の照明灯のうち一方が点灯しているときは、当該一方の照明灯を消灯するとともに他方の照明灯を点灯し、前記第１及び第２光色の照明灯がともに点灯していないときは、いずれか一方の照明灯を点灯する
ことを特徴とする照明器具。
【請求項２】
前記操作手段は、前記点灯ボタンとして、前記第１及び第２光色の照明灯の全灯点灯の切り替えを指示するために操作される全灯ボタンを有し、
前記制御手段は、前記全灯ボタンの操作による操作入力を受け付けた前記操作手段からの操作受付信号を受信したときに、前記第１及び第２光色の照明灯のうち一方が全灯点灯しているときは、当該一方の照明灯を消灯するとともに他方の照明灯を全灯点灯し、前記第１及び第２光色の照明灯がともに全灯点灯していないときは、いずれか一方の照明灯を全灯点灯する
ことを特徴とする請求項１記載の照明器具。
【請求項３】
前記操作手段は、前記点灯ボタンとして、前記第１及び第２光色の照明灯の調光点灯の切り替えを指示するために操作される調光ボタンを有し、
前記制御手段は、前記調光ボタンの操作による操作入力を受け付けた前記操作手段からの操作受付信号を受信したときに、前記第１及び第２光色の照明灯のうち一方が調光点灯しているときは、当該一方の照明灯を消灯するとともに他方の照明灯を調光点灯し、前記第１及び第２光色の照明灯がともに調光点灯していないときは、いずれか一方の照明灯を調光点灯する
ことを特徴とする請求項１又は２記載の照明器具。
【請求項４】
前記第１及び第２光色の照明灯は、冷陰極管型蛍光灯からなることを特徴とする請求項１〜３のいずれか１項記載の照明器具。
【請求項５】
複数種類の照明灯を有する照明器具の点灯状態を制御する照明制御方法であって、
第１光色の照明灯、及び前記第１光色と異なる第２光色であり、前記第１光色の照明灯と同一光量の照明灯の点灯状態の切り替えを指示するためにユーザにより操作される点灯ボタンの操作による操作入力を受け付ける受付ステップと、
前記操作入力を受け付けたことに基づき、前記第１及び第２光色の照明灯の点灯状態を確認する確認ステップと、
該確認ステップにて前記第１及び第２光色の照明灯のうち一方が点灯していることを確認したときに、当該一方の照明灯を消灯するとともに他方の照明灯を点灯する点灯切替ステップと、
前記確認ステップにて前記第１及び第２光色の照明灯がともに点灯していないことを確認したときに、いずれか一方の照明灯を点灯する照明点灯ステップとを有する
ことを特徴とする照明制御方法。
【発明の詳細な説明】
【技術分野】
【０００１】
本発明は、複数種類の照明灯を有する照明器具及び照明制御方法に関し、特に全体の光量を変えずに各照明灯ごとに点灯状態を切り替えて光色を変化させることができる照明器具及び照明制御方法に関する。
【背景技術】
【０００２】
近年、複数の照明灯（光源）を備え、それぞれを点灯、消灯させたりして調光制御することができる照明器具として、例えば特開平９−２８２９１５号公報に開示されているものが知られている。この照明器具は、２段階調光可能な蛍光灯と連続調光可能な白熱灯の２種類の調光可能な光源を備えており、蛍光灯及び白熱灯の照度をリモコン装置を用いて受信手段を有する制御手段によってリモートコントロール制御する構成からなる。リモコン装置には、蛍光灯及び白熱灯の照度を制御するために操作される調光切替手段及び調光調節手段が設けられている。
【０００３】
この照明器具においては、制御手段に設けられた第１及び第２の調光制御手段は、調光切替手段の操作に基づいて蛍光灯及び白熱灯の照度を段階的に所定の順序で順送りに切り替えるとともに、第２の調光制御手段は、調光調節手段の操作に基づいて白熱灯を連続的に調光制御する。このため、調光切替手段又は調光調節手段の操作のみといった容易な操作で２種類の光源の照度を調光制御することができる構成とされている。
【０００４】
【特許文献１】特開平９−２８２９１５号公報
【発明の開示】
【発明が解決しようとする課題】
【０００５】
しかしながら、上述した特許文献１に開示された従来の照明器具では、２種類の光源として蛍光灯と白熱灯を用い、蛍光灯については全灯点灯、段調光点灯及び消灯を行い、白熱灯については点灯及び消灯を行って、これらを組み合わせることで調光を制御している。このため、光量を変化させずに光色のみを切り替えることは困難であるという問題があった。
【０００６】
また、従来の照明器具では、白熱灯についてはあらかじめ照度を変えた設定をメモリに記憶させておき、これら異なる照度で点灯する白熱灯を上記蛍光灯の点灯状態と組み合わせて調光を制御することも行っている。しかし、この場合は設定を記憶するメモリが必須となるとともに、光量を変化させないためには、あらかじめ照度を変えた白熱灯と蛍光灯の点灯状態とを組み合わせて、各組み合わせにおいて光量が一定となるように設定しなければならないため、構成が複雑となるとともに光量の設定作業が繁雑となるという問題があった。
【０００７】
本発明は、このような点に鑑みてなされたもので、複数種類の照明灯を各照明灯ごとに全灯点灯や調光点灯を行って、簡単な構成で全体の光量を変えずに光色のみを変化させることができる照明器具及び照明制御方法を提供することを目的とする。
【課題を解決するための手段】
【０００８】
本発明に係る照明器具は、複数種類の照明灯を有する照明器具であって、第１光色の照明灯と、前記第１光色と異なる第２光色であり、前記第１光色の照明灯と同一光量の照明灯と、前記第１及び第２光色の照明灯の点灯状態を制御する制御手段と、ユーザの操作による操作入力を受け付けたことに応じて操作受付信号を出力する操作手段とを備え、前記操作手段は、前記第１及び第２光色の照明灯の点灯状態の切り替えを指示するために操作される点灯ボタンを有し、前記制御手段は、前記点灯ボタンの操作による操作入力を受け付けた前記操作手段からの操作受付信号を受信したときに、前記第１及び第２光色の照明灯のうち一方が点灯しているときは、当該一方の照明灯を消灯するとともに他方の照明灯を点灯し、前記第１及び第２光色の照明灯がともに点灯していないときは、いずれか一方の照明灯を点灯することを特徴とする。
【０００９】
また、操作手段は、点灯ボタンとして、第１及び第２光色の照明灯の全灯点灯の切り替えを指示するために操作される全灯ボタンを有し、制御手段は、全灯ボタンの操作による操作入力を受け付けた操作手段からの操作受付信号を受信したときに、第１及び第２光色の照明灯のうち一方が全灯点灯しているときは、当該一方の照明灯を消灯するとともに他方の照明灯を全灯点灯し、第１及び第２光色の照明灯がともに全灯点灯していないときは、いずれか一方の照明灯を全灯点灯する構成とされていてもよい。
【００１０】
また、操作手段は、点灯ボタンとして、第１及び第２光色の照明灯の調光点灯の切り替えを指示するために操作される調光ボタンを有し、制御手段は、調光ボタンの操作による操作入力を受け付けた操作手段からの操作受付信号を受信したときに、第１及び第２光色の照明灯のうち一方が調光点灯しているときは、当該一方の照明灯を消灯するとともに他方の照明灯を調光点灯し、第１及び第２光色の照明灯がともに調光点灯していないときは、いずれか一方の照明灯を調光点灯する構成とされていてもよい。
【００１１】
さらに、第１及び第２光色の照明灯は、冷陰極管型蛍光灯からなる構成とされていてもよい。
【００１２】
また、本発明に係る照明制御方法は、複数種類の照明灯を有する照明器具の点灯状態を制御する照明制御方法であって、第１光色の照明灯、及び前記第１光色と異なる第２光色であり、前記第１光色の照明灯と同一光量の照明灯の点灯状態の切り替えを指示するためにユーザにより操作される点灯ボタンの操作による操作入力を受け付ける受付ステップと、前記操作入力を受け付けたことに基づき、前記第１及び第２光色の照明灯の点灯状態を確認する確認ステップと、該確認ステップにて前記第１及び第２光色の照明灯のうち一方が点灯していることを確認したときに、当該一方の照明灯を消灯するとともに他方の照明灯を点灯する点灯切替ステップと、前記確認ステップにて前記第１及び第２光色の照明灯がともに点灯していないことを確認したときに、いずれか一方の照明灯を点灯する照明点灯ステップとを有することを特徴とする。
【発明の効果】
【００１３】
本発明によれば、複数種類の照明灯を各照明灯ごとに全灯点灯や調光点灯を行って、簡単な構成で全体の光量を変えずに光色のみを変化させることができる照明器具及び照明制御方法を提供することが可能となる。
【発明を実施するための最良の形態】
【００１４】
以下に、添付の図面を参照して、本発明に係る照明器具及び照明制御方法の実施の形態について説明する。
【００１５】
図１は、本発明の一実施形態に係る照明器具のカバーを取り外した状態の基本的外観を示す下方斜視図である。また、図２は、同照明器具の内部構成の一例を示す説明図である。図１に示すように、照明器具１は、例えば住宅のリビングや寝室、玄関などの室内の天井に直接取り付けられ、主照明として部屋全体を明るく均一に照らすいわゆるシーリングライトとして用いられるものである。
【００１６】
この照明器具１は、本例では複数種類の照明灯を組み合わせた複数の照明灯ユニットを有するもので、例えば第１光色として色温度６５００Ｋ（ケルビン）程度の昼光色の複数の照明灯１１，１２を組み合わせた第１の照明灯ユニットと、第１光色と異なる第２光色である色温度５０００Ｋ程度の昼白色（暖色系の白色）の複数の照明灯１３，１４を組み合わせた第２の照明灯ユニットとを後述するインバータ回路２４と電気的に接続し、ホルダ１７によって本体部１６に取り付けた構造からなる。この本体部１６には、例えばこれらの照明灯１１〜１４を下方から覆うようにしてカバー（図示せず）が取り付けられる。なお、照明器具１は、第１及び第２光色の照明灯をそれぞれ一つずつ備えた構成であっても、本例のようにそれぞれ複数備えた構成であってもよい。
【００１７】
各照明灯ユニットの照明灯１１〜１４は、例えば冷陰極管（Ｃｏｌｄ  Ｃａｔｈｏｄｅ  Ｆｌｕｏｒｅｓｃｅｎｔ  Ｌａｍｐ：ＣＣＦＬ）型蛍光灯からなり、従来の蛍光灯と比べて小型化及び軽量化を図ることができる構成となっている。なお、本体部１６の照明灯１１〜１４の取付側には、例えば夜間などに使用される色温度２８００Ｋ程度の電球色の常夜灯１５と、後述するリモコン装置３０から送信されたリモコン信号を受信するリモコン信号受信部２５とが設けられている。
【００１８】
図２に示すように、照明器具１は、例えば本体部１６の内部に、マイコン制御部２０と、フィルタ回路２１と、整流回路２２と、電源回路２３と、インバータ回路２４とを備えている。マイコン制御部２０は、リモコン信号受信部２５によって受信されたリモコン装置３０からのリモコン信号に基づいて、各照明灯ユニットの全灯点灯や調光点灯などの点灯状態を制御する。
【００１９】
フィルタ回路２１は、ＡＣ電源２９と接続点２９ａを介して接続され、ＡＣ電流の所定の周波数成分をカットする。整流回路２２は、フィルタ回路２１を通ったＡＣ電流をＤＣ電流に変換する。電源回路２３は、整流回路２２によって変換されたＤＣ電流を安定化させてインバータ回路２４に出力する。インバータ回路２４は、各照明灯１１〜１４の高周波点灯を行う安定器として機能する。
【００２０】
リモコン装置３０は、ユーザが照明器具１を遠隔操作するための装置であり、例えば赤外線を出力する赤外線ＬＥＤ（Ｌｉｇｈｔ  Ｅｍｉｔｔｉｎｇ  Ｄｉｏｄｅ）を備え、赤外線信号からなる各種動作を指示するための操作受付信号であるリモコン信号を照明器具１に送信する。このリモコン装置３０には、例えば押しボタン式スイッチからなる全灯ボタン３１、調光ボタン３２、常夜灯ボタン３３、及びＯＦＦボタン３４が備えられている。また、このリモコン装置３０には、例えばスライド式スイッチからなる照度調整ボタン（図示せず）が備えられている。
【００２１】
全灯ボタン３１は、例えば照明器具１のＯＮスイッチを兼ね、第１の照明灯ユニットの照明灯１１，１２、あるいは第２の照明灯ユニットの照明灯１３，１４の全灯点灯を指示するためのボタンである。調光ボタン３２は、第１の照明灯ユニットの照明灯１１，１２、あるいは第２の照明灯ユニットの照明灯１３，１４の調光点灯を指示するためのボタンである。常夜灯ボタン３３は、例えば各照明灯ユニットの照明灯１１〜１４を消灯して常夜灯１５の点灯を指示するためのボタンである。さらに、ＯＦＦボタン３４は、照明器具１の各照明灯１１〜１４及び常夜灯１５の消灯を指示するためのボタンである。
【００２２】
リモコン信号受信部２５は、例えば赤外線受光素子を備え、リモコン装置３０から送信されたリモコン信号を受信してマイコン制御部２０に上述した各種動作の指示に関する指示信号を出力する。次に、このように構成された照明器具１における点灯動作について説明する。
【００２３】
図３は、本発明の一実施形態に係る照明器具の点灯動作における処理の一例を示すフローチャートである。なお、以降において、既に説明した部分と重複する箇所には同一の符号を附して説明を省略する。また、上述した照明灯ユニットをランプユニットと表記して説明する。ここでは、まず、前提として全灯ボタン３１が押下され、照明器具１がＯＮ状態となっていずれかのランプユニットが全灯点灯していることとする。
【００２４】
図３に示すように、まず、マイコン制御部２０によって、リモコン信号受信部２５によりリモコン装置３０からの全灯ボタン３１を押下したことによる全灯点灯を指示する指示信号として全灯信号を受信したか否かを判断する（ステップＳ１）。
【００２５】
全灯信号を受信したと判断した場合（ステップＳ１：Ｙｅｓ）は、第１のランプユニットの照明灯１１，１２、あるいは第２のランプユニットの照明灯１３，１４が調光点灯中であるか否かを判断する（ステップＳ２）。調光点灯中であると判断した場合（ステップＳ２：Ｙｅｓ）は、インバータ回路２４を制御して、調光点灯中のランプユニットを全灯点灯する（ステップＳ３）。
【００２６】
調光点灯中でないと判断した場合（ステップＳ２：Ｎｏ）は、第１のランプユニットの照明灯１１，１２、あるいは第２のランプユニットの照明灯１３，１４が全灯点灯中であるか否かを判断する（ステップＳ４）。全灯点灯中であると判断した場合（ステップＳ４：Ｙｅｓ）は、インバータ回路２４を制御して、点灯すべきランプユニットを切り替えて全灯点灯する（ステップＳ５）。全灯点灯中でないと判断した場合（ステップＳ４：Ｎｏ）は、点灯すべきランプユニットを切り替えないで全灯点灯する（ステップＳ６）。
【００２７】
すなわち、ステップＳ３においては、例えば第１（あるいは第２）のランプユニットが調光点灯中である場合は、その第１（あるいは第２）のランプユニットを全灯点灯に切り替えて点灯する。また、ステップＳ５においては、例えば第１及び第２のランプユニットのいずれもが調光点灯中でなく、かつ第１及び第２のランプユニットのいずれかが全灯点灯中である場合は、全灯点灯中のランプユニットを消灯して消灯中のランプユニットを全灯点灯する。
【００２８】
また、ステップＳ６においては、例えば第１及び第２のランプユニットのいずれもが調光点灯中でなく、かつ第１及び第２のランプユニットのいずれもが全灯点灯中でない場合（すなわち、第１及び第２のランプユニットが消灯状態である場合）は、ステップＳ１において全灯信号を受信している前提であるため、該当するランプユニットを切り替えないで全灯点灯する。該当するランプユニットは、例えばあらかじめ設定された第１及び第２のランプユニットの全灯点灯時の点灯優先順位などに基づきマイコン制御部２０によって決定されればよい。
【００２９】
上記ステップＳ３，Ｓ５，Ｓ６において全灯点灯したら、マイコン制御部２０によって、リモコン信号受信部２５によりリモコン装置３０からの調光ボタン３２を押下したことによる調光点灯を指示する指示信号として調光信号を受信したか否かを判断する（ステップＳ７）。なお、上記ステップＳ１において、全灯信号を受信していないと判断した場合（ステップＳ１：Ｎｏ）は、このステップＳ７に移行して調光信号の受信判断処理を行う。
【００３０】
調光信号を受信したと判断した場合（ステップＳ７：Ｙｅｓ）は、第１のランプユニットの照明灯１１，１２、あるいは第２のランプユニットの照明灯１３，１４が全灯点灯中であるか否かを判断する（ステップＳ８）。全灯点灯中であると判断した場合（ステップＳ８：Ｙｅｓ）は、インバータ回路２４を制御して、全灯点灯中のランプユニットを調光点灯する（ステップＳ９）。
【００３１】
全灯点灯中でないと判断した場合（ステップＳ８：Ｎｏ）は、第１のランプユニットの照明灯１１，１２、あるいは第２のランプユニットの照明灯１３，１４が調光点灯中であるか否かを判断する（ステップＳ１０）。調光点灯中であると判断した場合（ステップＳ１０：Ｙｅｓ）は、インバータ回路２４を制御して、点灯すべきランプユニットを切り替えて調光点灯する（ステップＳ１１）。調光点灯中でないと判断した場合（ステップＳ１０：Ｎｏ）は、点灯すべきランプユニットを切り替えないで調光点灯する（ステップＳ１２）。
【００３２】
すなわち、ステップＳ９においては、例えば第１（あるいは第２）のランプユニットが全灯点灯中である場合は、その第１（あるいは第２）のランプユニットを調光点灯に切り替えて点灯する。また、ステップＳ１１においては、例えば第１及び第２のランプユニットのいずれもが全灯点灯中でなく、かつ第１及び第２のランプユニットのいずれかが調光点灯中である場合は、調光点灯中のランプユニットを消灯して消灯中のランプユニットを調光点灯する。
【００３３】
また、ステップＳ１２においては、例えば第１及び第２のランプユニットのいずれもが全灯点灯中でなく、かつ第１及び第２のランプユニットのいずれもが調光点灯中でない場合（すなわち、第１及び第２のランプユニットが消灯状態である場合）は、ステップＳ７において調光信号を受信している前提であるため、該当するランプユニットを切り替えないで調光点灯する。該当するランプユニットは、例えばあらかじめ設定された第１及び第２のランプユニットの調光点灯時の点灯優先順位などに基づきマイコン制御部２０によって決定されればよい。
【００３４】
上記ステップＳ９，Ｓ１１，Ｓ１２において調光点灯したら、上記ステップＳ１に移行して全灯信号の受信判断処理を行い、処理を繰り返す。上記ステップＳ７において、調光信号を受信していないと判断した場合（ステップＳ７：Ｎｏ）は、マイコン制御部２０によって、リモコン信号受信部２５によりリモコン装置３０からの常夜灯ボタン３３を押下したことによる常夜灯点灯を指示する指示信号として常夜灯信号を受信したか否かを判断する（ステップＳ１３）。
【００３５】
常夜灯信号を受信したと判断した場合（ステップＳ１３：Ｙｅｓ）は、インバータ回路２４を制御して、第１及び第２のランプユニットの照明灯１１〜１４を消灯状態とし常夜灯１５を点灯する（ステップＳ１４）。その後、マイコン制御部２０によって、リモコン信号受信部２５によりリモコン装置３０からのＯＦＦボタン３４を押下したことによる消灯を指示する指示信号としてＯＦＦ信号を受信したか否かを判断する（ステップＳ１５）。なお、上記ステップＳ１３において、常夜灯信号を受信していないと判断した場合（ステップＳ１３：Ｎｏ）は、このステップＳ１５に移行してＯＦＦ信号の受信判断処理を行う。
【００３６】
ＯＦＦ信号を受信したと判断した場合（ステップＳ１５：Ｙｅｓ）は、第１及び第２のランプユニットの照明灯１１〜１４及び常夜灯１５のうち、いずれかが点灯状態である場合はその点灯をＯＦＦにして全灯消灯して（ステップＳ１６）、上記ステップＳ１に移行して全灯信号の受信判断処理を行い、処理を繰り返す。なお、第１及び第２のランプユニットのいずれかが、上記ステップＳ９、ステップＳ１１あるいはステップＳ１２の調光点灯処理によって調光点灯中である場合は、例えばリモコン装置３０の照度調整ボタンを操作することにより点灯中のランプユニットの照度を変化させることができる。
【００３７】
このように、マイコン制御部２０によって、本実施形態の照明器具１の点灯動作における処理が行われることにより、ユーザは、全灯ボタン３１や調光ボタン３２を押下するだけで第１及び第２のランプユニットの全灯点灯や調光点灯などの点灯状態を簡単に切り替えることが可能となる。すなわち、上述した実施形態では、例えばユーザが全灯ボタン３１を連続して押下した場合は、第１及び第２のランプユニットの全灯点灯を押下回数に応じて切り替えることができ、調光ボタン３２を連続して押下した場合は、第１及び第２のランプユニットの調光点灯を押下回数に応じて切り替えることができる。したがって、本実施形態の照明器具１では、同一の指示信号によってランプユニットの点灯状態を切り替えることが可能となる。この場合、第１及び第２のランプユニットは同一光量を有するように構成されているため、瞬時に何ら違和感なく光色のみを変化させることが可能となる。
【００３８】
以上述べたように、本実施形態によれば、照明器具１が簡単な構成からなるとともに、リモコン装置３０からの全灯点灯や調光点灯などの点灯状態の切り替えを指示するリモコン信号に基づいて、マイコン制御部２０が、同一光量を有する第１の照明灯ユニットの照明灯１１，１２及び第２の照明灯ユニットの照明灯１３，１４の全灯点灯や調光点灯を各ユニットごとに瞬時に切り替えて行う。これにより、複数の照明灯１１〜１４を組み合わせた複数組のランプユニットの各組ごとの全灯点灯や調光点灯などの点灯状態を瞬時に切り替えて、簡単な構成で光量を変えずに光色のみを変化させることが可能となる。
【００３９】
なお、上述した照明器具１では、第１及び第２の照明灯ユニットの照明灯１１〜１４の点灯動作を例に挙げて説明したが、マイコン制御部２０によって制御可能な同一光量の照明灯の数や照明灯ユニットの数を適宜変えることにより、さらに種々の形態で照明灯を全灯点灯や調光点灯することができる。また、照明器具１では、点灯状態の切り替えを遠隔操作可能なリモコン装置３０によって指示する構成としたが、リモコン装置３０の代わりに照明器具１自体に操作手段を設けた構成であってもよい。
【図面の簡単な説明】
【００４０】
【図１】本発明の一実施形態に係る照明器具のカバーを取り外した状態の基本的外観を示す下方斜視図である。
【図２】同照明器具の内部構成の一部を示す説明図である。
【図３】同照明器具の点灯動作における処理の一例を示すフローチャートである。
【符号の説明】
【００４１】
１…照明器具、１１〜１４…照明灯、１５…常夜灯、１６…本体部、１７…ホルダ、２０…マイコン制御部、２１…フィルタ回路、２２…整流回路、２３…電源回路、２４…インバータ回路、２５…リモコン信号受信部、３０…リモコン装置、３１…全灯ボタン、３２…調光ボタン、３３…常夜灯ボタン、３４…ＯＦＦボタン。
【図１】
2008010333.tif 000003
【図２】
2008010333.tif 000004
【図３】
2008010333.tif 000005